【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
式
【化１】
2012506928.tif 000001
［式中、
ａは、１〜５の整数であり、
ｂは、１〜３の整数であり、
ｃは、１〜３の整数であり、
ｄは、整数２、または３であり、
ｅは、整数２、または３であり、
ａ、ｂ、およびｃの合計は、７以下であり、
Ａｒ1、Ａｒ1’、Ａｒ3、およびＡｒ3’は、互いに独立して、式
【化２】
2012506928.tif 000002
の基、または基−Ａｒ4−Ａｒ5−［Ａｒ6］f−であり、
Ａｒ4は、式
【化３】
2012506928.tif 000003
の基であり、
Ａｒ5およびＡｒ6は、互いに独立して、Ａｒ1の意味を有し、ｆは、０または整数１であり、Ａｒ2は、式
【化４】
2012506928.tif 000004
の基であり、
Ｘ1およびＸ2のうちの一方はＮであり、他方はＣＨであり、
Ｒ1、Ｒ2、Ｒ1’、およびＲ2’は、同じであっても異なってもよく、これらは水素、Ｃ1−Ｃ100アルキル基、特にＣ8−Ｃ36アルキル基、Ｃ1−Ｃ8アルキル、Ｃ1−Ｃ8チオアルコキシ、および／またはＣ1−Ｃ8アルコキシで１〜３回置換されていてもよいＣ6−Ｃ24アリール、とりわけフェニルまたは１−もしくは２−ナフチル、またはペンタフルオロフェニルから選択される］の１つ以上の（繰り返し）単位を含むポリマーであって、前記ポリマーは４０００ダルトン以上の質量平均分子量を有し、ただし分子量１００００未満の式
【化５】
2012506928.tif 000005
のポリマーを除外し、さらに分子量１００００未満の式
【化６】
2012506928.tif 000006
のポリマーを除外し、さらに２８５８９ｇ／ｍｏｌの分子量および９０４（皮膜）のλオンセットを有する次のポリマー
【化７】
2012506928.tif 000007
を除外した、ポリマー。
【請求項２】
式
【化８−１】
2012506928.tif 000008
【化８−２】
2012506928.tif 000009
【化８−３】
2012506928.tif 000010
［式中、
ａは、１〜５、特に１〜３の整数であり、
ｂは、整数２または３であり、ｂ’は、整数２であり、ｂ’’は、整数３であり、
Ｘ1およびＸ2のうちの一方はＮであり、他方はＣＨであり、
Ｒ1およびＲ2は、同じであっても異なってもよく、これらは水素またはＣ8−Ｃ36アルキル基から選択される］の１つ以上の（繰り返し）単位を含む、請求項１に記載のポリマー。
【請求項３】
式
【化９−１】
2012506928.tif 000011
【化９−２】
2012506928.tif 000012
［式中、
Ｒ1およびＲ2は、同じであっても異なってもよく、これらはＣ8−Ｃ36アルキル基から選択される］の１つ以上の（繰り返し）単位を含む、請求項１に記載のポリマー。
【請求項４】
ａが１〜３の整数である、請求項１に記載のポリマー。
【請求項５】
式
【化１０】
2012506928.tif 000013
［式中、
Ｒ1’およびＲ2’は、同じであっても異なってもよく、これらはＣ8−Ｃ36アルキル基から選択される］の１つ以上の（繰り返し）単位を含む、請求項１に記載のポリマー。
【請求項６】
Ｒ1、Ｒ2、Ｒ1’、およびＲ2’が、（分枝鎖）Ｃ12−Ｃ24アルキル基である、請求項１、２、３、または４に記載のポリマー。
【請求項７】
式
【化１１】
2012506928.tif 000014
のコポリマー
［式中、
Ｒ1、Ｒ2、Ｒ1’、およびＲ2’は、分枝鎖Ｃ8−Ｃ36アルキル基、特に分枝鎖Ｃ12−Ｃ24アルキル基である］、またはＭｗ５１５００および多分散度２．０（ＨＴ−ＧＰＣにより測定）を有する、式
【化１２】
2012506928.tif 000015
のコポリマーである、請求項１に記載のポリマー。
【請求項８】
式
【化１３】
2012506928.tif 000016
［式中、
Ｒ1およびＲ2は、同じであっても異なってもよく、これらはＣ8−Ｃ35アルキル基から選択される］の繰り返し単位を含む、請求項３に記載のポリマー。
【請求項９】
請求項１から８までのいずれか１項に記載のポリマーを含む、有機半導体材料、層、もしくは要素。
【請求項１０】
請求項１から８までのいずれか１項に記載のポリマー、または請求項９に記載の有機半導体材料、層、もしくは要素を含む、半導体デバイス。
【請求項１１】
有機電界効果トランジスタ（ＯＦＥＴ）、特にｐ型およびｎ型動作を含むアンバイポーラ有機電界効果トランジスタ（ＯＦＥＴ）である、請求項１０に記載の半導体デバイス。
【請求項１２】
有機半導体デバイスを製造するための方法であって、請求項１から８までのいずれか１項に記載のポリマーの有機溶媒中の溶液および／または分散液を適切な基板に塗布することと、前記溶媒を除去することとを含む方法。
【請求項１３】
請求項１から８までのいずれか１項に記載のポリマー、または請求項９に記載の有機半導体材料、層、もしくは要素のＯＦＥＴにおける使用。
【請求項１４】
請求項１１に記載の有機電界効果トランジスタを含む、集積回路。
【請求項１５】
式
【化１４】
2012506928.tif 000017
［式中、
Ａは、式
【化１５】
2012506928.tif 000018
の基であり、
ＣＯＭ1は、式
【化１６】
2012506928.tif 000019
の基であり、ａは、１〜５の整数であり、
ｎは、分子量４０００〜２００００００ダルトンをもたらす数字であり、
Ｒ1、Ｒ2、Ａｒ1、Ａｒ1’、Ａｒ2、およびａは、請求項１において定義したとおりである］のコポリマーの製造のための方法であって、
二ハロゲン化物Ｘ10−Ａ−Ｘ10、例えば二臭化物、または二塩化物、または二ヨウ化物、特にＢｒ−Ａ−Ｂｒに相当する二臭化物を等モル量の式
【化１７】
2012506928.tif 000020
に相当するジボロン酸もしくはジボロネートと反応させる、または式
【化１８】
2012506928.tif 000021
の二ハロゲン化物を等モル量の式Ｘ11−Ａ−Ｘ11に相当するジボロン酸もしくはジボロネートと反応させること［式中、Ｘ10は、ハロゲン、特にＢｒであり、Ｘ11は、それぞれ独立して、−Ｂ（ＯＨ）2、−Ｂ（ＯＹ1）2、
【化１９】
2012506928.tif 000022
、−ＢＦ3Ｎａ、−ＢＦ3Ｎ（Ｙ15）4、または−ＢＦ3Ｋであり、このときＹ1は、それぞれ独立して、Ｃ1−Ｃ10アルキル基であり、Ｙ2は、それぞれ独立して、Ｃ2−Ｃ10アルキレン基、例えば−ＣＹ3Ｙ4−ＣＹ5Ｙ6−、または−ＣＹ7Ｙ8−ＣＹ9Ｙ10−ＣＹ11Ｙ12−であり、このときＹ3、Ｙ4、Ｙ5、Ｙ6、Ｙ7、Ｙ8、Ｙ9、Ｙ10、Ｙ11、およびＹ12は、互いに独立して、水素、またはＣ1−Ｃ10アルキル基、特に−Ｃ（ＣＨ3）2Ｃ（ＣＨ3）2−、または−Ｃ（ＣＨ3）2ＣＨ2Ｃ（ＣＨ3）2−、
−ＣＨ2Ｃ（ＣＨ3）2ＣＨ2−であり、Ｙ13およびＹ14は、互いに独立して、水素またはＣ1−Ｃ10アルキル基であり、Ｙ15は、Ｈ、または場合によっては−Ｏ−で中断されていてもよいＣ1−Ｃ25アルキル基である］であって、溶媒中で触媒の存在下において反応させること、あるいは
式Ｘ10−Ａ−Ｘ10の二ハロゲン化物を等モル量の式
【化２０】
2012506928.tif 000023
に相当する有機スズ化合物と反応させる、または式
【化２１】
2012506928.tif 000024
の二ハロゲン化物を等モル量の式Ｘ11’−Ａ−Ｘ11’に相当する有機スズ化合物と反応させること［式中、Ｘ11’は、それぞれ独立して、−ＳｎＲ207Ｒ208Ｒ209であり、このときＲ207、Ｒ208、およびＲ209は、同じまたは異なり、これらはＨまたはＣ1−Ｃ6アルキルであるか、あるいは基Ｒ207、Ｒ208、およびＲ209のうちの２つが環を形成し、これらの基は、場合によっては分枝鎖状である］
を含む方法。
【請求項１６】
式
【化２２】
2012506928.tif 000025
［式中、
ｄは、整数１、２、または３であり、
ｅは、整数１、２、または３であり、
Ａｒ3およびＡｒ3’は、互いに独立して、式
【化２３】
2012506928.tif 000026
の基、または基−Ａｒ4−Ａｒ5−［Ａｒ6］f−であり、
Ａｒ4は、式
【化２４】
2012506928.tif 000027
の基であり、
Ａｒ5およびＡｒ6は、互いに独立して、Ａｒ3の意味を有し、ｆは、０または整数１であり、Ｒ1’およびＲ2’は、請求項１に定義するとおりであり、
Ｘ12は、−Ｂ（ＯＨ）2、−Ｂ（ＯＹ1）2、
【化２５】
2012506928.tif 000028
、−ＢＦ3Ｎａ、−ＢＦ3Ｎ（Ｙ15）4、または−ＢＦ3Ｋであり、このときＹ1は、それぞれ独立して、Ｃ1−Ｃ10アルキル基であり、Ｙ2は、それぞれ独立して、Ｃ2−Ｃ10アルキレン基、例えば−ＣＹ3Ｙ4−ＣＹ5Ｙ6−、または−ＣＹ7Ｙ8−ＣＹ9Ｙ10−ＣＹ11Ｙ12−であり、このときＹ3、Ｙ4、Ｙ5、Ｙ6、Ｙ7、Ｙ8、Ｙ9、Ｙ10、Ｙ11、およびＹ12は、互いに独立して、水素、またはＣ1−Ｃ10アルキル基、特に−Ｃ（ＣＨ3）2Ｃ（ＣＨ3）2−、または−Ｃ（ＣＨ3）2ＣＨ2Ｃ（ＣＨ3）2−であり、Ｙ15は、Ｈ、または場合によっては−Ｏ−で中断されていてもよいＣ1−Ｃ25アルキル基である］の化合物。
【請求項１７】
式
【化２６】
2012506928.tif 000029
［式中、Ｒ1’、およびＲ2’は、分枝鎖Ｃ8−Ｃ36アルキル基、特に分枝鎖Ｃ12−Ｃ24アルキル基、例えば２−ヘキシルデシル基又は２−デシル−テトラデシル基である］の、有利に１００００〜１０００００ダルトンの質量平均分子量を有するホモポリマー。